(57)【要約】【課題】小型で、安価なカメラモジュールを提供すること。【解決手段】本発明のカメラモジュールにおいて、赤外線除去フィルタ６が絶縁樹脂からなる保持部材１に設けられた突片５の変形によって取り付けられるため、赤外線除去フィルタ６を係止するための保持部材１に設けられた係止部４の突出幅Ｂを小さくできて、小型化できると共に、これに伴って、赤外線除去フィルタ６を小さくできて、安価なものが得られる。【選択図】図１
2007208918.tif 000002
【特許請求の範囲】
【請求項１】
絶縁樹脂からなる保持部材と、この保持部材に取り付けられた赤外線除去フィルタとを備え、前記保持部材は、前記赤外線除去フィルタを係止する係止部と、前記赤外線除去フィルタを取り付けるための変形可能な突片を有し、前記係止部に係止された前記赤外線除去フィルタが前記突片の変形によって前記保持部材に取り付けられたことを特徴とするカメラモジュール。
【請求項２】
前記突片が熱変形可能としたことを特徴とする請求項１記載のカメラモジュール。
【請求項３】
前記突片は、前記赤外線除去フィルタの側面に当接して、前記赤外線除去フィルタを支持したことを特徴とする請求項１，又は２記載のカメラモジュール。
【請求項４】
前記係止部側に前記赤外線除去フィルタを押圧する押圧部材を有したことを特徴とする請求項３記載のカメラモジュール。
【請求項５】
前記レンズを保持した取付部材を有し、前記押圧部材が前記取付部材によって形成され、前記取付部材によって前記赤外線除去フィルタを押圧したことを特徴とする請求項４記載のカメラモジュール。
【請求項６】
前記レンズを保持した前記取付部材は、光軸方向に移動可能であると共に、前記取付部材を光軸方向に移動させるための駆動部材を備え、前記押圧部材が前記駆動部材によって形成され、前記駆動部材によって前記赤外線除去フィルタを押圧したことを特徴とする請求項４記載のカメラモジュール。
【請求項７】
前記突片は、前記赤外線除去フィルタの上面に当接して、前記赤外線除去フィルタを支持したことを特徴とする請求項１，又は２記載のカメラモジュール。
【請求項８】
前記突片は、前記赤外線除去フィルタの対向する辺で支持するようにしたことを特徴とする請求項１から７の何れか１項に記載のカメラモジュール。
【請求項９】
前記突片は、前記赤外線除去フィルタの全外周部で支持するようにしたことを特徴とする請求項１から７の何れか１項に記載のカメラモジュール。
【発明の詳細な説明】
【技術分野】
【０００１】
本発明は、携帯電話機等に使用して好適なカメラモジュールに関するものである。
【背景技術】
【０００２】
図６は従来のカメラモジュールの要部断面図であり、次に、従来のカメラモジュールの構成を図６に基づいて説明すると、筒状の保持部材５１は、中心部に設けられた貫通孔５２と，下部に設けられた凹部５３と、この凹部５３と貫通孔５２との間で、中央部側に突出する係止部５４を有する。
【０００３】
板状の赤外線除去フィルタ（ＩＲカットフィルタ）５５は、保持部材５１内の係止部５４上に載置され、係止部５４上に設けられた接着剤Ｓによって係止部５４に取り付けられており、この係止部５４の突出幅Ｂ１は、赤外線除去フィルタ５５との接触面積を大きくして、接着強度を大きくするために、少なくとも０．５ｍｍ以上で形成されている。
【０００４】
また、保持部材５１の凹部５３の内面には、電極５６が設けられ、この電極５６には、凹部５３内に収納された撮像素子５７がバンプ５８によって接続されている。
【０００５】
筒状の取付部材５９には、レンズ１０が取り付けられ、このレンズ１０を取り付けた取付部材５９は、貫通孔５２の前方に位置した状態で、保持部材５１に取り付けられて、従来のカメラモジュールが形成されている（例えば、特許文献１参照）。
【特許文献１】特許第３４９５００８号公報
【発明の開示】
【発明が解決しようとする課題】
【０００６】
しかし、従来のカメラモジュールにあっては、赤外線除去フィルタ５５が保持部材５１の係止部５４に接着剤Ｓによって取り付けられるため、赤外線除去フィルタ５５の接着強度を大きくするための係止部５４の突出幅Ｂ１が大きくなって、大型になる上に、赤外線除去フィルタ５５が大きくなって、コスト高になるという問題がある。
【０００７】
本発明は、このような従来技術の実情に鑑みてなされたもので、その目的は、小型で、安価なカメラモジュールを提供することにある。
【課題を解決するための手段】
【０００８】
上記の目的を達成するために、本発明は、絶縁樹脂からなる保持部材と、この保持部材に取り付けられた赤外線除去フィルタとを備え、保持部材は、赤外線除去フィルタを係止する係止部と、赤外線除去フィルタを取り付けるための変形可能な突片を有し、係止部に係止された赤外線除去フィルタが突片の変形によって保持部材に取り付けられたことを特徴としている。
【０００９】
このように構成した本発明は、赤外線除去フィルタが突片の変形によって取り付けられるため、赤外線除去フィルタを係止するための係止部の突出幅を小さくできて、小型化できると共に、これに伴って、赤外線除去フィルタを小さくできて、安価なものが得られる。
【００１０】
また、本発明は、上記発明において、突片が熱変形可能としたことを特徴としている。
【００１１】
このように構成した本発明は、突片の変形時に折れや割れ等が無く、赤外線除去フィルタの確実な取付ができる。
【００１２】
また、本発明は、上記発明において、突片は、赤外線除去フィルタの側面に当接して、赤外線除去フィルタを支持したことを特徴としている。
【００１３】
このように構成した本発明は、突片の高さ方向の寸法を抑えることができて、高さ方向に小型化できる。
【００１４】
また、本発明は、上記発明において、係止部側に赤外線除去フィルタを押圧する押圧部材を有したことを特徴としている。
【００１５】
このように構成した本発明は、赤外線除去フィルタが係止部と押圧部材によって挟持されて、赤外線除去フィルタの支持の確実なものが得られる。
【００１６】
また、本発明は、上記発明において、レンズを保持した取付部材を有し、押圧部材が取付部材によって形成され、取付部材によって赤外線除去フィルタを押圧したことを特徴としている。
【００１７】
このように構成した本発明は、取付部材を押圧部材に兼用できて、部品点数が少なく、組立性の良好なものが得られる。
【００１８】
また、本発明は、上記発明において、レンズを保持した取付部材は、光軸方向に移動可能であると共に、取付部材を光軸方向に移動されるための駆動部材を備え、押圧部材が駆動部材によって形成され、駆動部材によって赤外線除去フィルタを押圧したことを特徴としている。
【００１９】
このように構成した本発明は、駆動部材を押圧部材に兼用できて、組立性の良好なものが得られる。
【００２０】
また、本発明は、上記発明において、突片は、赤外線除去フィルタの上面に当接して、赤外線除去フィルタを支持したことを特徴としている。
【００２１】
このように構成した本発明は、突片によって、赤外線除去フィルタが係止部に押し付けられて、赤外線除去フィルタの確実な支持ができる。
【００２２】
また、本発明は、上記発明において、突片は、赤外線除去フィルタの対向する辺で支持するようにしたことを特徴としている。
【００２３】
このように構成した本発明は、突片の変形の数を少なくできて、作業性が良く、生産性の良好なものが得られる。
【００２４】
また、本発明は、上記発明において、突片は、赤外線除去フィルタの全外周部で支持するようにしたことを特徴としている。
【００２５】
このように構成した本発明は、突片による赤外線除去フィルタの支持の確実なものが得られる。
【発明の効果】
【００２６】
本発明は、赤外線除去フィルタが突片の変形によって取り付けられるため、赤外線除去フィルタを係止するための係止部の突出幅を小さくできて、小型化できると共に、これに伴って、赤外線除去フィルタを小さくできて、安価なものが得られる。
【発明を実施するための最良の形態】
【００２７】
発明の実施の形態について図面を参照して説明すると、図１は本発明のカメラモジュールの第１実施例に係る要部断面図、図２は本発明のカメラモジュールの第１実施例に係り、取付部材を取り去った状態を示す平面図、図３は本発明のカメラモジュールの第１実施例に係り、赤外線除去フィルタの取付方法を示す説明図、図４は本発明のカメラモジュールの第２実施例に係り、赤外線除去フィルタの取付構造とその取付方法を示す説明図、図５は本発明のカメラモジュールの第３実施例に係る要部断面図である。
【００２８】
次に、本発明のカメラモジュールの第１実施例に係る構成を図１〜図３に基づいて説明すると、筒状の保持部材１は、熱可塑性の絶縁樹脂からなり、中心部に設けられた貫通孔２と，貫通孔２内で、中心部に向かって環状に延びる鍔部３と、この鍔部３の先端部に設けられた環状の係止部４と、この係止部４の近接する位置に、互いに対向した状態で鍔部３から上方に突出する複数個（例えば４個）の突片５を有する。
【００２９】
四角形のガラス板からなる赤外線除去フィルタ（ＩＲカットフィルタ）６は、係止部４と突片５とによって、保持部材１内に取り付けられており、その取付状態は、赤外線除去フィルタ６が保持部材１内の係止部４上に載置され、係止部４の近傍に位置する突片５が赤外線除去フィルタ６側に変形されて、突片５の先端部によって、赤外線除去フィルタ６の側面に当接、支持して、赤外線除去フィルタ６が保持部材１内に取り付けられている。
【００３０】
また、赤外線除去フィルタ６の取付方法は、図３に示すように、先ず、赤外線除去フィルタ６を係止部４に載置して係止した後、貫通孔２内に加熱された治具Ｇを挿入する。
【００３１】
そして、治具Ｇの先端傾斜面を突片５に押し当てて、突片５を赤外線除去フィルタ６側に熱変形させると、突片５の先端部が赤外線除去フィルタ６の側面に当接、支持するようになっている。
【００３２】
赤外線除去フィルタ６が取り付けられた際、図２に示すように、突片５は、赤外線除去フィルタ６の対向する辺側を支持するようになると共に、赤外線除去フィルタ６は、単に係止部４に掛止め（係止）するだけで良いため、係止部４の突出幅Ｂは、０．１５ｍｍ程度と、極めて小さい幅で良くなる。
【００３３】
なお、この実施例では、突片５によって、赤外線除去フィルタ６の対向する辺を支持するようにしたが、突片５が赤外線除去フィルタ６の全外周部を支持するようにしても良い。
【００３４】
この保持部材１の前方部には、筒状の取付部材７が取り付けられると共に、この取付部材７の中心部には、レンズ８が取り付けられ、また、保持部材１の後方部には、撮像素子９を取り付けたプリント基板１０が貫通孔２を塞ぐように取り付けられ、赤外線除去フィルタ６がレンズ８と撮像素子９との間に位置して、本発明のカメラモジュールが形成されている。
【００３５】
なお、この第１実施例において、ここでは図示しないが、赤外線除去フィルタ６を係止部４側に押圧する押圧部材を設けても良く、また、取付部材７に赤外線除去フィルタ６の上面を押圧する押圧部（図示せず）を設け、取付部材によって押圧部材を形成しても良い。
【００３６】
また、図４は、本発明のカメラモジュールの第２実施例に係る赤外線除去フィルタの取付構造とその取付方法を示し、先ず、第２実施例に係る赤外線除去フィルタの取付構造について説明すると、突片５は、赤外線除去フィルタ６の対向する辺、或いは、全外周部において、赤外線除去フィルタ６の上面、或いは上面隅部を当接、支持するようになっている。
【００３７】
そして、その取付方法は、前記第１実施例と同様に、先ず、赤外線除去フィルタ６を係止部４に載置して係止した後、貫通孔２内に加熱された治具Ｇを挿入し、しかる後、治具Ｇの先端傾斜面を突片５に押し当てて、突片５を赤外線除去フィルタ６側に熱変形させると、突片５が赤外線除去フィルタ６の上面に当接、支持するようになっている。
【００３８】
その他の構成は、上記実施例と同様の構成を有し、同一部品に同一番号を付し、ここではその説明を省略する。
【００３９】
また、図４は、本発明のカメラモジュールの第３実施例を示し、この第３実施例について説明すると、保持部材１の係止部４によって下面が支持された赤外線除去フィルタ６の側面は、突片５によって支持されると共に、赤外線除去フィルタ６の上面は、モータ等からなる駆動部材Ｋの外装部（ケース部）１１によって係止部４側の押圧されて、駆動部材Ｋによって押圧部材が形成されている。
【００４０】
この駆動部材Ｋは、ケース部１１内に設けられた二つの環状の第１，第２コイル１２，１３と、このコイル１２，１３の内側に配置された環状の磁石１４と、この磁石１４の内側に設けられ、ネジ部１５ａを有する回転可能な筒状の回転体１５とによって構成され、この駆動部材Ｋの全体は、筺体１６内に収納されている。
【００４１】
また、駆動部材Ｋの中央部には、レンズ８を保持した取付部材７が設けられ、この取付部材７には、回転体１５のネジ部１５ａに噛み合うネジ部７ａが設けられると共に、ケース部１１と取付部材７との間には、コイルバネ１７が配置されており、そして、駆動部材Ｋの駆動によって、回転体１５のネジ部１５ａを介して取付部材７がレンズ８を伴って光軸方向に移動して、焦点調整が行われるようになっている。
【００４２】
なお、この第３実施例において、前記第１実施例と同一部品には、同一番号を付して示している。
【図面の簡単な説明】
【００４３】
【図１】本発明のカメラモジュールの第１実施例に係る要部断面図である。
【図２】本発明のカメラモジュールの第１実施例に係り、取付部材を取り去った状態を示す平面図である。
【図３】本発明のカメラモジュールの第１実施例に係り、赤外線除去フィルタの取付方法を示す説明図である。
【図４】本発明のカメラモジュールの第２実施例に係り、赤外線除去フィルタの取付構造とその取付方法を示す説明図である。
【図５】本発明のカメラモジュールの第３実施例に係る要部断面図である。
【図６】従来のカメラモジュールの要部断面図である。
【符号の説明】
【００４４】
１  保持部材
２  貫通孔
３  鍔部
４  係止部
５  突片
６  赤外線除去フィルタ
７  取付部材（押圧部材）
７ａ  ネジ部
８  レンズ
９  撮像素子
１０  プリント基板
１１  ケース部（外装部）
１２  第１のコイル
１３  第２のコイル
１４  磁石
１５  回転体
１５ａ  ネジ部
１６  筺体
１７  コイルバネ
Ｇ  治具
Ｂ  突出幅
Ｋ  駆動部材（押圧部材）
【図１】
2007208918.tif 000003
【図２】
2007208918.tif 000004
【図３】
2007208918.tif 000005
【図４】
2007208918.tif 000006
【図５】
2007208918.tif 000007
【図６】
2007208918.tif 000008